(57)【要約】【課題】照明機能を有する拡大鏡を提供する。【解決手段】拡大鏡２は、ハウジング２０と、複数の発光素子２１と、一つのレンズ２２と、を備える。ハウジング２０の前側に対物レンズ穴２００が設けられ、かつハウジング２０の後側の対物レンズ穴２００と対向する位置に観察穴２０１が設けられる。観察穴２０１は対物レンズ穴２００と互いに連絡されている。拡大鏡２はさらに観察レンズ２３が設けられ、観察レンズ２３はハウジング２０上観察穴２０１に対応する位置に設けられる。【選択図】図３
0003180667.tif 000002
【実用新案登録請求の範囲】
【請求項１】
照明機能を有する拡大鏡であって、
前側に対物レンズ穴が開けられ、後側に前記対物レンズ穴に対向した位置に観察穴が開けられ、前記観察穴と前記対物レンズ穴とは互いに連通し、内面は前記対物レンズ穴と対向する位置に固定部が設けられるハウジングと、
前記固定部上に固定され、前記対物レンズ穴外部に向かって可視光を出射する、複数の発光素子と、
前記ハウジングの前記対物レンズ穴と対応する位置に固定され、前記発光素子の対物側に位置するレンズと、を備え、
各前記発光素子より出射される可視光は、前記レンズの屈折により、それぞれ拡散するよう、物体の表面に照射し、それぞれ前記物体上に光照射区域を形成し、各前記光照射区域は互いに部分的重なることを特徴とする拡大鏡。
【請求項２】
前記ハウジングに内設する電池をさらに備え、
前記電池は、前記発光素子と互いに接続し、前記発光素子が可視光を出射するよう電気を提供することを特徴とする請求項１記載の拡大鏡。
【請求項３】
スイッチ素子をさらに備え、
前記スイッチ素子は、前記ケーシングに内設され、前記電池は前記スイッチ素子と前記発光素子に接続され、
前記スイッチ素子は、前記電池から供給され前記発光素子が可視光を出射するのに必要な電気の導通および遮断を切り替えることを特徴とする請求項２記載の拡大鏡。
【請求項４】
前記スイッチ素子は、使用者の押圧により切り替えるよう、一端が前記ハウジング外部に露出していることを特徴とする請求項３記載の拡大鏡。
【請求項５】
前記ハウジングの前記観察穴に対応する位置に固定されている観察レンズをさらに備えることを特徴とする請求項４記載の拡大鏡。
【考案の詳細な説明】
【技術分野】
【０００１】
本考案は拡大鏡に関し、詳しくは照射照明機能を備える拡大鏡に関する。
【背景技術】
【０００２】
電子技術の発展につれて、様々な精密計器について提案されている。使用者が精密計器の修理など精密な作業を行うとき、往々に他の補助工具に頼らなければ、計器内部部品を肉眼で直接に観察することはできない。そのうち、使用者が良く使用する補助工具は光学拡大鏡（すなわち、拡大鏡）である。使用者が拡大鏡を使って物体（例えば、精密計器）を観察するときは、その物体を拡大鏡の焦点距離範囲に取り付けて、拡大の虚像を形成させ、物体の視認性を向上した上、拡大された虚像に基づき、修理などの操作行う。しかし、一般の拡大鏡には対象物観察ための照明が取り付けられていない。しかし、照度条件が不足すると、使用者は物体の細部を詳しく観察することができなく、修理などの作業を順調に行えなくなり、使用上理想とは言えない。
【考案の概要】
【考案が解決しようとする課題】
【０００３】
前述の課題について、業者より発光素子を備える拡大鏡（以下、拡大鏡に略称する。）が開発され、物体に光線を照射することによって、被観察物の視認性、および修理などの利便性が向上する。図１に示すように、公知の拡大鏡１はハウジング１０と、レンズ１１と、複数の発光素子１２と、を有する。ハウジング１０に貫通穴１００が貫設され、ハウジング１０は普通の金属又はプラスチック部材から形成される。レンズ１１はハウジング１０の貫通穴１００に固定され、レンズ１１の光軸と貫通穴１００の中心軸は互いに重なっている。図１において、レンズ１１はハウジング１０の内部に嵌着固定され、発光素子１２はハウジング１０上に固定されている。使用者は、拡大鏡１の上方（すなわち、図１に示すレンズ１１の上方）より、レンズ１１を介して物体を観察する。発光素子１２とレンズ１１が比較的に下方の被観察物体の表面Ｐに接近しているため、発光素子１２の出射光はレンズ１１によって屈折されずに物体の表面Ｐに直接に照射される。
【０００４】
通常、メーカーは発光ダイオード（Ｌｉｇｈｔ−Ｅｍｉｔｔｉｎｇ  Ｄｉｏｄｅ，  ＬＥＤ）を発光素子１２として使用する。発光ダイオードは高輝度、長寿命、体積小などの長所を有するため、ポータブル式の拡大鏡装置に適している。発光ダイオード１２の光出射方向とレンズ１１の光軸は一定の挟み角を形成する。図１に示すように、発光素子１２の出射光はやや中間位置に集中し、小さい範囲を照らして、使用者はレンズ１１を介して発光素子１２に照らされた範囲を観察することができる。図１において、発光素子１２はそれぞれ物体の表面Ｐに向かって可視光を出射し、かつ発光素子１２より出射する可視光は物体の表面Ｐにおいて、それぞれ小さい光点Ｑを形成する。図１に示すように各光点Ｑは互いに独立していて、かつ重なる部分を有していない。使用者は光点Ｑを介して、補助照明を取得する必要がある。
【０００５】
しかし、考案者は、長時間に観察及び研究したところ、図１に示すように、公知の拡大鏡１が発生する互いに独立する光点Ｑが一部の区域を照らすことはできるが、実務応用上には照明効果を充分に発揮することができないことが分かった。特に発光素子１２に照明が届かない位置に照明の死角が顕著的であり、物体全体の表面は発光素子１２の照明を受けない。このように、使用者がレンズ１１を介して物体の表面Ｐを観察するときに、照明されたわずかな部分しか観察することはできない。よって、物体の視認性は低く、使用者が物体の細部を観察することはできない。使用者が作業間違いやすいほか、長時間に拡大鏡１の長時間使用により、眼部の疲労などを引き起してしまい、極めて良くない。
【０００６】
本考案は、上述の問題に鑑みてなされたものであり、その目的は発光素子の可視光を物体に均一照射し、死角の発生を避け、物体の視認性を向上し、使用者眼部の疲労を抑制する拡大鏡を提供することにある。
【課題を解決するための手段】
【０００７】
本考案による拡大鏡は、照明機能を有する。拡大鏡は、ハウジングと、複数の発光素子と、一つのレンズと、を備える。そのうち、ハウジングは、前側に対物レンズ穴が開けられ、後側に対物レンズ穴に対応した位置に観察穴が設けられ、観察穴と対物レンズ穴と互いに連通していて、内面は対物レンズ穴と対向する位置に固定部が設けられている。
発光素子は、固定部に固定され、かつ対物レンズ穴から外部に可視光を出射できる。レンズは、ハウジングの対物レンズ穴に対応する位置に固定され、発光素子の前方に位置する。各発光素子から出射する可視光は、レンズの屈折により、それぞれ拡散するよう物体の表面に照射され、それぞれ物体上に光照射区域を形成し、各光照射区域は部分的互いに重なる。これにより、可視光は均一に物体の表面を照射する。これにより、使用者が観察穴とレンズを介して物体を観察するとき、発光素子から出射する可視光は、レンズを通過した後、互いに独立した光点ではなく、放射して、互いに部分的重なる照射区域を形成する。よって、使用者は、発光素子の照明補助が得られることができ、部分的に重なる光照射区域によって、物体の視認性を大幅に向上することができる。このため、使用者眼部の疲労を抑制することができるほか、作業間違いを予防できる。
【０００８】
本考案による拡大鏡は、さらにスイッチ素子、および電池、を備える。発光素子はスイッチ素子と互いに接続する。電池は発光素子の可視光を出射するための電気を提供する。スイッチ素子は、発光素子の可視光を出射させるための電気のオン／オフを切り替える。
【０００９】
本考案による拡大鏡は、観察レンズをさらに備え、観察レンズは、ハウジングの観察穴に対応する位置に固定されている。これにより、ダストのハウジングへの侵入を抑制することができ、レンズの内面汚れを防止することができる。
【００１０】
前述した公知の拡大鏡に関わる種々の問題について、考案者が長い期間の努力及び実験を重ねた結果、本考案の照明機能を備える拡大鏡を考案し、製造コストの大幅増がない前提において、発光素子を均一に被観察物体に照射させ、物体の視認性を向上し、使用者の作業間違いまたは眼部疲労等の問題を解消する。
【図面の簡単な説明】
【００１１】
【図１】従来の拡大鏡の断面図である。
【図２】本考案の一実施形態による拡大鏡の立体斜視図である。
【図３】本考案の一実施形態による拡大鏡の断面図である。
【図４】本考案の一実施形態による拡大鏡の模式図である。
【考案を実施するための形態】
【００１２】
（一実施形態）
本考案の実施形態を図面に基づいて説明する。
考案者は、長期にわたり、拡大鏡などの光学計器分野における研究開発過程で、既存の発光素子を備える拡大鏡が実務応用において、照明死角の問題があるという現象を見つけた。この現象について、考案者が分析したところ、公知の拡大鏡の発光素子が物体の表面に小さい光点のみを照射し、光線を拡散して物体の表面に照射することはないため、使用者が公知の拡大鏡を使用するときに照明補助の効果が得られないばかりでなく、眼部疲労などの問題を引き起し、理想でないことに気づいた。いまのところ、多くの業者は前述の課題の解決を図るため、拡大鏡の改良をしてきたが、いまだに妥当な解決方案は見いだせなかった。そのため、考案者はレンズと発光素子の配置を調整することにより、発光素子が出射する可視光を拡散して物体の表面に照射させ、均一な照明効果を達成し、物体の視認性を向上すると共に、従来の種々な問題の防止を図る。
【００１３】
本考案の一実施形態による拡大鏡を図２に示す。図２にように、拡大鏡２は、ハウジング２０と、複数の発光素子２１と、一つのレンズ２２と、を備える。図３に示すように、ハウジング２０の前側（図３の下方）に対物レンズ穴２００が設けられ、かつハウジング２０の後側（図３の上方）の対物レンズ穴２００と対向する位置に観察穴２０１が設けられる。観察穴２０１は対物レンズ穴２００と互いに連絡されている。拡大鏡２はさらに観察レンズ２３が設けられ、観察レンズ２３はハウジング２０上観察穴２０１に対応する位置に設けられる。これにより、ダストがハウジング２０の内部への浸入を避けると共に、レンズ２２の内面に汚れの形成を防止する。
【００１４】
引き続き図３を参照する。本考案の一実施例において、ハウジング２０の内面には、対物レンズ穴２００と対向する位置に固定部２０２が設けられる。発光素子２１は、固定部２０２に取り付けられ、かつ対物レンズ穴２００の外部に可視光を出射する。製造するとき、ハウジング２０はプラスチック射出成形方式によって製造することができる。ただし、本考案はこれに限らない。メーカーは本考案に基づき、ハウジング２０を製造するときは、実際の製品または生産プロセスの需要により、ハウジング２０の部材及び製造方法を改変することができる。このほか、図２に示すように、本実施形態において、６つの発光素子２１が使用されている。ただし、本考案はこれに限らない。メーカーは発光素子２１の輝度及び拡大鏡２の用途に応じて、発光素子２１の数を増減できる。ただし、当技術分野の者が容易に相想到する変化及び修飾は本考案の実用新案登録の範囲に含まる。引き続き図３を参照する。レンズ２２はハウジング２０上の対物レンズ穴２００と対応する位置に固定され、発光素子２１の前方（図３の下方）に位置する。
【００１５】
図４を参照する。そのうち、各発光素子２１はスイッチ素子２４及び電池２５と接続されている。図２に示すように、スイッチ素子２４は、ハウジング２０に内設され、使用者が押圧するよう、一端がハウジング２０外部に露出している。さらに、メーカーは一般の炭素亜鉛電池を電池２５に使用することはできるが、これに限らない。また、メーカーはハウジング２０を前ハウジング２０ａと後ハウジング２０ｂの組合せ（図２に示す）構成にすることができ、スイッチ素子を前ハウジング２０ａ及び後ハウジング２０ｂに連動するようにし、使用者が前・後ハウジング２０ａ、２０ｂを回すことによって、スイッチ素子の切り替え操作を行う。電池２５は発光素子２１より可視光を出射するのに必要な電気を提供し、スイッチ素子２４は電池２５から発光素子２１に提供する電気を切り替える。発光素子２１が出射する可視光は、レンズ２２の屈折により、それぞれ物体（例えば、精密計器など、図示しない）の表面へ拡散して、かつそれぞれ物体上に光照射区域Ａを形成する。レンズ２２は集光特性を有するため、外部に拡散する光線はレンズ２２により屈折され、内側に曲がりかつやや集中される。よって、図４に示す光照射区域Ａが形成される。各光照射区域Ａは互いに部分的重なっているので、発光素子２１は均一に物体の表面を照射することができる。
【００１６】
本考案の技術特徴を適用すれば、図３、４に示すように、使用者が観察穴２０１とレンズ２２を介して物体を観察するとき、発光素子２１から出射する可視光は、レンズ２２を通過した後、互いに独立した光点ではなく、拡散して互いに部分的重なる照射区域Ａを形成する。よって、使用者は発光素子２１の照明補助が得られるほか、互いに部分的重なる光照射区域Ａによって、物体の視認性を大幅に向上することができるため、使用者の眼部疲労を抑制することができるほか、作業間違いを抑制することができる。
【００１７】
以上の説明は本考案の一実施形態である。ただし、本考案の技術特徴はこれに限らない。当該技術を熟知する者が本考案の技術分野において、容易に変化又は修飾することにより得られたものは、本考案の実用新案登録の範囲に含まれる。
【符号の説明】
【００１８】
２・・・拡大鏡、  
２０・・・ハウジング、
２０ａ・・・前ハウジング、
２０ｂ・・・後ハウジング、
２００・・・対物レンズ穴、
２０１・・・観察穴、
２０２・・・固定部、
２１・・・発光素子、
２２・・・レンズ、
２３・・・観察レンズ、
２４・・・スイッチ素子、
２５・・・電池、
Ａ・・・光照射区域。
【図１】
0003180667.tif 000003
【図２】
0003180667.tif 000004
【図３】
0003180667.tif 000005
【図４】
0003180667.tif 000006